【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  高速回転するローラの針布に向き合った位置であって、運転時には基本的に固定されている位置に、針布を具備した少なくとも１つのカーディングセグメントが設けられており、該カーディングセグメントの端部部分にそれぞれ１つの調節手段が付属しており、該調節手段が前記ローラの針布に対する前記少なくとも１つのカーディングセグメントの針布の半径方向間隔を変えることができるように形成されているカード、クリーナ等の如き紡績準備機械に設けた、少なくとも１つのカーディングセグメントを有する装置において、ローラの針布（４ａ）とカーディングセグメントの針布（２４′ａ、２４′ｂ）との間の半径方向間隔（ａ）がフレキシブルな載置層（２０）の位置および／または形状によって調節可能であり、この載置層（２０）がカーディングセグメント（１７′、１７″、１７ａ〜１７ｎ）の端部部分と機械の固定位置の支持面（１９）との間にそれぞれ配置されていることを特徴とする少なくとも１つのカーディングセグメントを有する装置。
【請求項２】  間隔（ａ）が、載置層が半径方向（ｒ１）で有している厚さ（ｃ）によって規定されることを特徴とする請求項１記載の装置。
【請求項３】  載置層（２０）が円弧状に平行に形成されていることを特徴とする請求項１または２記載の装置。
【請求項４】  載置面（２０ｂ）または底面（１９ａ）が互いに楔状に延びていることを特徴とする請求項１または２記載の装置。
【請求項５】  載置層（２０）が周方向で移動可能であることを特徴とする請求項１から４までのいずれか１項記載の装置。
【請求項６】  載置層（２０）が交換可能であることを特徴とする請求項１から５までのいずれか１項記載の装置。
【請求項７】  支持面（１９ｃ）が防護側板の凸状に湾曲した面であることを特徴とする請求項１から６までのいずれか１項記載の装置。
【請求項８】  支持面（１９ｃ）が防護側板の凸状に湾曲した面に対して平行に配置されていることを特徴とする請求項１から６までのいずれか１項記載の装置。
【請求項９】  支持面が溝（１９′）を有しており、この溝（１９′）内に載置層（２０）の一部が配置されていることを特徴とする請求項１から８までのいずれか１項記載の装置。
【請求項１０】  載置層（２０）が曲げやすいプラスチック材料から形成されていることを特徴とする請求項１から９までのいずれか１項記載の装置。
【請求項１１】  前記プラスチック材料が耐摩耗性を有することを特徴とする請求項１０記載の装置。
【請求項１２】  摩擦係数の低いプラスチック材料を用いることを特徴とする請求項１１記載の装置。
【請求項１３】  載置層（２０）の下側傾斜面（２０ｂ）が相応に傾けた支持面（１９ｃ）と協働することを特徴とする請求項１から１２までのいずれか１項記載の装置。
【請求項１４】  載置層（２０）が半径方向（ｒ１）で約０．０１〜０．３ｍｍの移動が行われることを特徴とする請求項１から１３までのいずれか１項記載の装置。
【請求項１５】  載置層（２０）が周方向に移動する間、カーディングセグメント（１７′、１７″、１７ａ〜１７ｎ）の位置が固定されたままであることを特徴とする請求項１から１４までのいずれか１項記載の装置。
【請求項１６】  カーディングセグメント（１７′、１７″、１７ａ〜１７ｎ）と載置層（２０）とが一緒に周方向に移動することを特徴とする請求項１から１４までのいずれか１項記載の装置。
【請求項１７】  半径方向の間隔（ａ）の調節が無段階で行われることを特徴とする請求項１から１６までのいずれか１項記載の装置。
【請求項１８】  前記ローラがシリンダ（４）であることを特徴とする請求項１から１７までのいずれか１項記載の装置。
【請求項１９】  前記ローラがテーカイン（３）であることを特徴とする請求項１から１７までのいずれか１項記載の装置。
【請求項２０】  前記ローラがオープナ、クリーナなどに配置されていることを特徴とする請求項１から１７までのいずれか１項記載の装置。
【請求項２１】  カーディングセグメント（１７′、１７″、１７ａ〜１７ｎ）が載置層（２０）に対して、ばね、テンションベルト（２７）等の如き手段により予荷重が加えられていることを特徴とする請求項１から２０までのいずれか１項記載の装置。
【請求項２２】  前記ローラ（４）に複数のカーディングセグメント（１７′、１７″、１７ａ〜１７ｎ）が付属していることを特徴とする請求項１から１７までのいずれか１項記載の装置。
【請求項２３】  カーディングセグメント（１７′、１７″、１７ａ〜１７ｎ）が１つのカーディング部材（２４ａまたは２４ｂ）を有していることを特徴とする請求項１から２２までのいずれか１項記載の装置。
【請求項２４】  カーディングセグメント（１７′、１７″、１７ａ〜１７ｎ）が２つ以上のカーディング部材（２４ａまたは２４ｂ）を有していることを特徴とする請求項１から２３までのいずれか１項記載の装置。
【請求項２５】  載置層（２０）を移動させる移動装置にモータ（３３）の如き駆動装置が付属していることを特徴とする請求項１から２４までのいずれか１項記載の装置。
【請求項２６】  移動装置が、レバー、ラック（３２ａ）、歯車（３２ｂ）、回転継手等の如き調節部材を有していることを特徴とする請求項２５記載の装置。
【請求項２７】  移動装置が載置層（２０）のほぼ中心で作用することを特徴とする請求項２５または２６記載の装置。
【請求項２８】  載置層（２０）が少なくとも部分的に、少なくとも１つの歯車（３２ｂ）と協働する歯（３２ａ）を有していることを特徴とする請求項１から２７までのいずれか１項記載の装置。
【請求項２９】  載置層（２０）の移動のためのモータの如き駆動装置が、マイクロコンピュータの如き電子制御調節装置（３４）に接続されていることを特徴とする請求項２５から２７までのいずれか１項記載の装置。
【請求項３０】  繊維長さを検知するための測定素子（３６）が電子制御調節装置（３４）に接続されていることを特徴とする請求項２９記載の装置。
【請求項３１】  ネップ数を検知するための測定素子（３６）が電子制御調節装置（３４）に接続されていることを特徴とする請求項２９または３０記載の装置。
【請求項３２】  間隔（ａ）を検知するための測定素子がカーディングセグメントの針布（２４′ａ、２４′ｂ）の先端とシリンダの針布（４ａ）の先端との間で電子調節装置（３４）に接続されていることを特徴とする請求項２９から３１までのいずれか１項記載の装置。
【請求項３３】  駆動装置（３３）を操作するためのスイッチ部材が電子制御調節装置（３４）に接続されていることを特徴とする請求項２９から３２までのいずれか１項記載の装置。
【請求項３４】  繊維長さの測定値に対する入力部材が電子制御調節装置（３４）に接続されていることを特徴とする請求項２９から３３までのいずれか１項記載の装置。
【請求項３５】  ２つの楔状の部材（１９、２０）が存在することを特徴とする請求項１から３４までのいずれか１項記載の装置。
【請求項３６】  カーディング隙間（ａ）が一定に調節可能であることを特徴とする請求項１から３５までのいずれか１項記載の装置。
【請求項３７】  カーディングセグメントの針布（２４′ａ、２４′ｂ）とシリンダの針布（４ａ）との間のカーディング隙間がテーパ状に調節可能であることを特徴とする請求項１から３５までのいずれか１項記載の装置。
【請求項３８】  載置層（２０）の外側の輪郭が凸状の外面（２０ａ）であることを特徴とする請求項１から３７までのいずれか１項記載の装置。
【請求項３９】  前記輪郭が平坦な面（２０ｄ′、２０ｄ″）と傾斜面（２０ｃ′、２０ｃ″）とを有していることを特徴とする請求項３８記載の装置。
【請求項４０】  前記輪郭が凹部（２０ｄ′、２０ｄ″）を有していることを特徴とする請求項３８または３９記載の装置。
【請求項４１】  カーディングセグメントの針布（２４′ａ、２４′ｂ）の回転方向（４ｂ）と反対に見て第１の歯が摩耗したら、カーディング隙間がシリンダの針布（４ａ）を基準にして開き角度αで調節可能であることを特徴とする請求項１から４０までのいずれか１項記載の装置。